(57)【要約】  【課題】  記録した番組の内容を適切に表示する代表画像を作成することができる記録再生装置を提供する。  【解決手段】  番組に係る時系列のフレーム画に基づいて、複数のフレーム画を代表する代表画像を作成する代表画像作成部１６を備える記録再生装置に、代表画像とするフレーム画を取得する取得時間を受け付ける受付手段を備え、時系列のフレーム画の記録を開始したときから、前記取得時間が経過したときに取得したフレーム画に基づいて代表画像を作成するように構成する。【選択図】        図１
2006303818.tif 000002
【特許請求の範囲】
【請求項１】
複数のフレーム画を時系列順に取得する取得手段と、該取得手段が取得したフレーム画に基づいて、複数のフレーム画を代表する代表画像を作成する作成手段と、計時手段とを備え、前記取得手段が取得したフレーム画を記録するようにしてある記録装置において、
フレーム画の記録を開始してから代表画像とするフレーム画を取得するまでの取得時間を１又は複数受け付ける受付手段と、
該受付手段が受け付けた取得時間を前記計時手段が計時したときに前記取得手段が取得したフレーム画に基づいて、代表画像を前記作成手段に作成させる手段と
を備えることを特徴とする記録装置。
【請求項２】
フレーム画の記録を開始する複数の記録開始時刻を受け付ける手段を備え、
前記受付手段は、
前記複数の記録開始時刻毎に取得時間を受け付けるようにしてある
ことを特徴とする請求項１に記載の記録装置。
【請求項３】
フレーム画の記録を停止させる停止手段と、
フレーム画の記録を開始した後、取得時間が経過する前に前記停止手段がフレーム画の記録を停止させた場合、前記作成手段に、記録を停止させたときに前記取得手段が取得したフレーム画に基づいて、代表画像を作成させる手段と
を備えることを特徴とする請求項１又は請求項２に記載の記録装置。
【請求項４】
前記取得手段が取得した複数のフレーム画を、複数のフレーム画からなり、代表画像のフレーム画を冒頭のフレーム画とする組と、他の一又は複数の組とに分けて記録する手段を備える
ことを特徴とする請求項１乃至請求項３のいずれか一つに記載の記録装置。
【請求項５】
記録媒体に記録された複数のフレーム画及び該フレーム画の時系列順を示す時系列データに基づいて、特定のフレーム画を選択する選択手段と、該選択手段が選択したフレーム画に基づいて、複数のフレーム画を代表する代表画像を作成する作成手段とを備え、記録媒体に記録されたフレーム画を再生するようにしてある再生装置において、
代表画像とするフレーム画を特定する特定時間を１又は複数受け付ける受付手段を備え、
前記選択手段は、
記録媒体に記録された時系列データ、及び前記受付手段が受け付けた特定時間に基づいて、代表画像とするフレーム画を選択するようにしてある
ことを特徴とする再生装置。
【発明の詳細な説明】
【技術分野】
【０００１】
本発明は、複数のフレーム画、即ち動画を代表する代表画像を作成することで、複数のフレーム画の内容を表示するようにしてある記録装置及び再生装置に関する。
【背景技術】
【０００２】
従来のＤＶＤレコーダは、放送局から放送された番組の記録を開始してから所定時間が経過した場合、該番組を代表する代表画像（サムネイル画像）を作成し、記録媒体に記録する。そして、番組を再生するに先立ち、記録媒体に記録した代表画像を外部の表示モニタに出力することで、記録媒体に記録した番組の内容を表示する。
【０００３】
一方、番組を記録してある記録媒体から、特定のフレーム画を読み出して代表画像を作成し、作成した代表画像を表示モニタへ出力することで、記録媒体に記録した番組の内容を表示させるように構成した再生装置がある。
【０００４】
ＤＶＤレコーダ及び再生装置の使用者は、代表画像から記録媒体に記録された番組の内容を確認し、所望の番組を再生することができる。
【特許文献１】特開２００２−２９０９０１号公報
【発明の開示】
【発明が解決しようとする課題】
【０００５】
しかしながら、ＤＶＤレコーダの使用者は、通常、番組を冒頭から漏れなく記録するために、記録を所望する番組が放送される時刻よりも早めの時刻を記録開始時刻として設定する。また、記録を所望する番組の放送前又は放送途中で他の番組が放送される場合がある。従って、記録を開始してから所定時間後に放送された番組のフレーム画に基づいて作成された代表画像は、記録を所望した番組と全く無関係のフレーム画に基づいて作成される場合があるという問題があった。また、上述の番組を記録した記録媒体から、所定のフレーム画を読み出して代表画像を作成する再生装置においても同様の問題が生じる。
【０００６】
本発明は、斯かる事情に鑑みてなされたものであり、番組、つまり時系列のフレーム画から代表画像とするフレーム画を取得する取得時間を１又は複数受け付け、番組の記録を開始してから前記取得時間後に取得したフレーム画の代表画像を作成するように構成することにより、より確実に、記録を所望する番組のフレーム画の代表画像を作成することができる記録装置を提供することを目的とする。
【０００７】
また、複数の番組の記録開始時刻毎に取得時間を受け付けるように構成することにより、記録する番組に対して、異なる取得時間後に取得したフレーム画の代表画像を作成することができる記録装置を提供することを他の目的とする。
【０００８】
更に、番組の記録を開始した後、取得時間が経過する前に番組の記録を停止させる場合、番組の記録を停止させるときに取得したフレーム画の代表画像を作成するように構成することにより、取得時間が経過する前に記録を停止する場合であっても、記録した複数のフレーム画に対する代表画像を作成することができる記録装置を提供することを他の目的とする。
【０００９】
更にまた、番組の複数のフレーム画を、代表画像のフレーム画を冒頭のフレーム画とする組と、他の組とに分けて記録するように構成することにより、代表画像のフレーム画から一の組のフレーム画を再生することができるようにフレーム画を記録媒体に記録することができる記録装置を提供することを他の目的とする。
【００１０】
更にまた、記録媒体に記録された番組のフレーム画から代表画像とするフレーム画を特定する特定時間を１又は複数受け付け、特定時間に応じたフレーム画の代表画像を作成するように構成することにより、より確実に、再生を所望する番組のフレーム画の代表画像を作成することができる再生装置を提供することを他の目的とする。
【課題を解決するための手段】
【００１１】
本発明に係る記録装置は、複数のフレーム画を時系列順に取得する取得手段と、該取得手段が取得したフレーム画に基づいて、複数のフレーム画を代表する代表画像を作成する作成手段と、計時手段とを備え、前記取得手段が取得したフレーム画を記録するようにしてある記録装置において、フレーム画の記録を開始してから代表画像とするフレーム画を取得するまでの取得時間を１又は複数受け付ける受付手段と、該受付手段が受け付けた取得時間を前記計時手段が計時したときに前記取得手段が取得したフレーム画に基づいて、代表画像を前記作成手段に作成させる手段とを備えることを特徴とする。
【００１２】
本発明にあっては、受付手段が一の取得時間を受け付け、作成手段は、フレーム画の記録を開始してから取得時間後に取得したフレーム画の代表画像を作成する。従って、記録装置の使用者は、代表画像のフレーム画を取得する一の取得時間を自由に指定することができる。
【００１３】
受付手段が複数の取得時間を受け付けた場合、作成手段は、フレーム画の記録を開始してから複数の取得時間後に取得した複数のフレーム画夫々の代表画像を作成する。従って、記録を開始してから一の取得時間後に取得手段が取得したフレーム画が、記録を所望するフレーム画と異なる場合であっても、他の取得時間後に取得したフレーム画が、記録を所望するフレーム画であるとき、記録を所望する時系列のフレーム画の代表画像を作成することができる。
【００１４】
本発明に係る記録装置は、フレーム画の記録を開始する複数の記録開始時刻を受け付ける手段を備え、前記受付手段は、前記複数の記録開始時刻毎に取得時間を受け付けるようにしてあることを特徴とする。
【００１５】
本発明にあっては、受け付けた複数の記録開始時刻毎に取得時間を受付手段が受け付けるため、記録装置の使用者は、取得時間を複数の記録開始時刻毎に指定することができる。つまり、記録する複数の時系列のフレーム画、即ち複数の番組に対して、夫々異なる取得時間を指定することができる。
【００１６】
本発明に係る記録装置は、フレーム画の記録を停止させる停止手段と、フレーム画の記録を開始した後、取得時間が経過する前に前記停止手段がフレーム画の記録を停止させた場合、前記作成手段に、記録を停止させたときに前記取得手段が取得したフレーム画に基づいて、代表画像を作成させる手段とを備えることを特徴とする。
【００１７】
本発明にあっては、フレーム画の記録開始後、取得時間が経過する前に番組の記録を停止する場合、作成手段は、停止したときに取得手段が取得したフレーム画の代表画像を作成する。従って、代表画像を作成することなく、フレーム画の記録を停止することはない。
【００１８】
本発明に係る記録装置は、前記取得手段が取得した複数のフレーム画を、複数のフレーム画からなり、代表画像のフレーム画を冒頭のフレーム画とする組と、他の一又は複数の組とに分けて記録する手段を備えることを特徴とする。
【００１９】
本発明にあっては、取得手段が取得した複数のフレーム画は、複数の組、例えばチャプターに分けて記録される。特に、代表画像のフレーム画は、該フレーム画が属する組の冒頭のフレーム画として記録される。従って、記録した複数のフレーム画を各組の冒頭から再生することができる再生装置で再生する場合、代表画像のフレーム画が属する組を再生するとき、代表画像のフレーム画から複数のフレーム画を再生することができる。
【００２０】
本発明に係る再生装置は、記録媒体に記録された複数のフレーム画及び該フレーム画の時系列順を示す時系列データに基づいて、特定のフレーム画を選択する選択手段と、該選択手段が選択したフレーム画に基づいて、複数のフレーム画を代表する代表画像を作成する作成手段とを備え、記録媒体に記録されたフレーム画を再生するようにしてある再生装置において、代表画像とするフレーム画を特定する特定時間を１又は複数受け付ける受付手段を備え、前記選択手段は、記録媒体に記録された時系列データ、及び前記受付手段が受け付けた特定時間に基づいて、代表画像とするフレーム画を選択するようにしてあることを特徴とする。
【００２１】
本発明にあっては、受付手段が、代表画像とする１又は複数のフレーム画を特定する特定時間を受け付ける。選択手段は、受け付けた特定時間、記録媒体に記録された時系列データに基づいて、特定時間に対応するフレーム画を選択し、作成手段は、選択されたフレーム画の代表画像を作成する。特定時間は、受付手段が適宜受け付けるため、使用者は、代表画像とするフレーム画を特定する特定時間を自由に指定して、再生を所望するフレーム画の代表画像を作成することができる。
【発明の効果】
【００２２】
本発明によれば、代表画像とするフレーム画を取得する取得時間を受け付けることにより、記録を所望するフレーム画の代表画像を作成することができる。また、複数の取得時間を受け付けることにより、時系列のフレーム画を代表する複数の代表画像を作成し、より確実に、記録を所望するフレーム画の代表画像を作成することができる。
【００２３】
本発明によれば、受け付けた複数の記録開始時刻から記録を開始する時系列のフレーム画、即ち番組に対して、異なる取得時間を受け付けることができ、異なる取得時間でフレーム画の代表画像を作成することができる。
【００２４】
本発明によれば、番組の記録を開始した後、取得時間が経過する前に記録を停止する場合であっても、記録した複数のフレーム画に対する代表画像を作成することができる。
【００２５】
本発明によれば、代表画像のフレーム画から一の組の再生を開始することができるように、フレーム画を記録媒体に記録することができる。
【００２６】
本発明によれば、記録媒体に記録した複数のフレーム画から代表画像とするフレーム画を特定する特定時間を１又は複数受け付けることにより、再生を所望するフレーム画の代表画像を１又は複数作成することができる。
【発明を実施するための最良の形態】
【００２７】
以下、本発明をその実施の形態を示す図面に基づいて詳述する。
【００２８】
（実施の形態１）
図１は、本発明の実施の形態１に係る記録再生装置のブロック図である。図中１０ａは、アナログのビデオ信号及び音声信号が入力される信号入力部であり、信号入力部１０ａに入力されたビデオ信号及び音声信号は、ＡＤ変換部１０ｂに入力する。ビデオ信号及び音声信号は、例えば図示しないアンテナで受信した放送信号からチューナ回路で選局され、検波された信号であり、ビデオ信号は、３０ＦＰＳのフレーム画データを有している。
【００２９】
ＡＤ変換部１０ｂは、入力したビデオ信号を、例えばサンプリング周波数１３．５ＭＨｚ、量子化ビット数８ビットでデジタルのフレーム画データにＡＤ変換し、メモリ１１に与える。また、ＡＤ変換部１０ｂは、音声信号をサンプリング周波数４８ｋＨｚ、量子化ビット数１６ビットでデジタルの音声データにＡＤ変換し、メモリ１１に与える。
【００３０】
メモリ１１は、ＡＤ変換部１０ｂから与えられたフレーム画データ及び音声データを時系列順に記憶し、記憶したフレーム画データ及び音声データを、バス１９を介して圧縮伸張部１２に与える。メモリ１１は、複数のフレーム画及び該フレーム画に対応する音声データを記憶する容量を有している。メモリ１１によるフレーム画データの記憶は、バス１９に接続されている制御部１７が制御する。制御部１７は、時計部１７ａ及びＲＡＭを内蔵したマイクロコンピュータを用いてなり、後述する圧縮伸張部１２、信号処理回路１３、デジタル変調部１４、記録再生部１５、代表画像作成部１６等の処理を制御する。時計部１７ａは、時刻を計時する機能、時刻又は時間を計時するタイマー機能等を有している。
【００３１】
圧縮伸張部１２はメモリ１２ａ、例えばＳＤＲＡＭを備えており、メモリ１１から出力された複数のフレーム画データをＭＰＥＧ２の圧縮伸張方式で圧縮し、音声データをＡＣ−３の圧縮伸張方式で圧縮する。そして、圧縮伸張部１２は、圧縮伸張部１２で圧縮したフレーム画データ及び音声データを、バス１９を介して信号処理回路１３に与える。
【００３２】
信号処理回路１３は、フレーム画データ及び音声データを記録及び再生する際に発生するエラーを訂正するためのエラー訂正符号をフレーム画データ及び音声データに付加する回路を備えており、エラー訂正符号を付加したフレーム画データ及び音声データをデジタル変調部１４に与える。
【００３３】
デジタル変調部１４は、例えばＲ／Ｗ（Ｒｅａｄ／Ｗｒｉｔｅ）回路からなり、フレーム画データ及び音声データを記録するハードディスク、ＤＶＤ‐Ｒ、ＤＶＤ‐ＲＡＭ、又はＢＤ等の記録媒体Ｍの規格に応じて、フレーム画データ及び音声データをデジタル変調し、デジタル変調したフレーム画データ及び音声データを記録再生部１５に与える。
【００３４】
記録再生部１５は、デジタル変調部１４から出力されたフレーム画データ及び音声データを記録媒体Ｍに記録する。
【００３５】
また、バス１９には代表画像作成部１６が接続されており、代表画像作成部１６は、メモリ１１が記憶したフレーム画データに基づいて、フレーム画を代表する代表画像のデータを作成する。例えば、フレーム画の画素を間引き、フレーム画の画素数を減少させた静止画のデータを作成する。代表画像作成部１６は、作成した代表画像のデータを圧縮伸張部１２に与え、圧縮伸張部１２は、代表画像のデータをＪＰＥＧの圧縮伸張方式で圧縮する。圧縮された代表画像のデータには、信号処理回路１３で誤り訂正符号が付加され、デジタル変調部１４でデジタル変調されて、記録再生部１５によって記録媒体Ｍに記録される。
【００３６】
更に、バス１９にはＤＡ変換部１８ｂ、電源ボタン２０ａ、記録ボタン２０ｂ、停止ボタン２０ｃ、設定ボタン２０ｄ、代表画像表示ボタン２０ｅ、テンキー２０ｆ、予約ボタン２０ｇ、決定ボタン２０ｈ、キャンセルボタン２０ｉ、十字キー２０ｊ及び液晶の表示部２１が接続されており、制御部１７はバス１９を介して各種ボタンの操作状態を検出する。制御部１７は、テンキー２０ｆ及び決定ボタン２０ｈの操作状態を検出することでフレーム画データの記録を開始する記録開始時刻Ｔ０ｉ、記録を停止する記録停止時刻Ｔ１ｉ、代表画像とするフレーム画を取得する取得時間Ｔｉを受け付ける。取得時間Ｔｉは、フレーム画データの記録を開始したときから、代表画像とするフレーム画データをメモリ１１が記憶するまでの時間である。添字のｉは、記録開始時刻Ｔ０ｉ、記録停止時刻Ｔ１ｉ、取得時間Ｔｉを受け付けた順を示す自然数である。
【００３７】
記録再生部１５は、フレーム画データを再生する際、フレーム画データ及び音声データを記録媒体Ｍから読み出してデジタル変調部１４に与える。与えられたフレーム画データ及び音声データは、デジタル変調部１４で復調され、圧縮伸張部１２で伸張されて、ＤＡ変換部１８ｂに入力される。
【００３８】
ＤＡ変換部１８ｂは、デジタルのフレーム画データ及び音声データをアナログのビデオ信号及び音声信号にＤＡ変換する回路であり、ＤＡ変換されたビデオ信号及び音声信号は、出力部１８ａから外部の表示モニタＡ、及びスピーカに入力される。ビデオ信号が入力された表示モニタＡは、ビデオ信号に応じた動画を表示し、音声信号が入力されたスピーカは、音声信号に応じた音声を発する。
【００３９】
代表画像のデータを再生する場合も、同様の処理でアナログのビデオ信号に変換されて、出力部１８ａから外部の表示モニタＡに入力される。
【００４０】
図２は、各種設定に関する制御部１７の処理手順を示すフローチャートである。設定ボタン２０ｄがオンになった場合、制御部１７は、ｉに０を設定する（ステップＳ１）。そして、制御部１７は、記録開始時刻Ｔ０ｉを受け付ける受付画面を表示するための画像データを表示部２１に出力し、テンキー２０ｆ及び決定ボタン２０ｈの操作状態を検出することで、記録開始時刻Ｔ０ｉを受け付ける（ステップＳ２）。より具体的には、テンキー２０ｆの操作を検出した場合、操作されたテンキー２０ｆに応じた４つの数字を記録開始の時間及び分としてＲＡＭに記憶し、操作されたテンキー２０ｆに応じた数字を表示部２１に表示させるための画像データを表示部２１に出力する。そして、決定ボタン２０ｈの操作を検出した場合、記録開始時刻の受け付けを完了する。
【００４１】
次いで、制御部１７は、同様にしてテンキー２０ｆ及び決定ボタン２０ｈの操作状態を検出することで、記録停止時刻Ｔ１ｉを受け付ける（ステップＳ３）。つまり、制御部１７は、操作されたテンキー２０ｆに応じた４つの数字を記録停止の時間及び分としてＲＡＭに記憶させる。
【００４２】
次いで、制御部１７は、テンキー２０ｆ及び決定ボタン２０ｈの操作状態を検出することで、取得時間Ｔｉを受け付ける（ステップＳ４）。より具体的には、テンキー２０ｆの操作を検出した場合、操作されたテンキー２０ｆに応じた４つの数字を取得時間の分及び秒としてＲＡＭに記憶する。そして、制御部１７は、キャンセルボタン２０ｉの操作状態を検出し、キャンセルボタン２０ｉがオンであるか否かを判定する（ステップＳ５）。
【００４３】
キャンセルボタン２０ｉがオンであると判定した場合（ステップＳ５：ＹＥＳ）、制御部１７は、設定に関する処理を終える。キャンセルボタン２０ｉがオンでないと判定した場合（ステップＳ５：ＮＯ）、制御部１７は、予約ボタン２０ｇの操作状態を検出し、予約ボタン２０ｇがオンであるか否かを判定する（ステップＳ６）。予約ボタン２０ｇがオンではないと判定した場合（ステップＳ６：ＮＯ）、制御部は、処理をステップＳ５に戻す。予約ボタン２０ｇがオンであると判定した場合（ステップＳ６：ＹＥＳ）、制御部１７は、記録開始時刻Ｔ０ｉと取得時間Ｔｉとの和が、記録停止時刻Ｔ１ｉより後の時刻であるか否かを判定する（ステップＳ７）。
【００４４】
記録停止時刻Ｔ１ｉより後の時刻であると判定した場合（ステップＳ７：ＹＥＳ）、エラーを表示するための画像データを表示部２１に出力し（ステップＳ８）、処理をステップＳ２に戻す。記録停止時刻Ｔ１ｉ以前の時刻であると判定した場合（ステップＳ７：ＮＯ）、制御部１７は、記録開始時刻Ｔ０ｉ、記録停止時刻Ｔ１ｉ及び取得時間Ｔｉを予約テーブルとしてＲＡＭに書き込む（ステップＳ９）。
【００４５】
そして、制御部１７は、追加予約の有無を受け付ける（ステップＳ１０）。より具体的には、追加予約の有無を受け付けるための画像データを表示部２１に出力し、十字キー２０ｊ、決定ボタン２０ｈの操作状態を検出することにより受け付ける。次いで、制御部１７は、追加予約が有りか否かを判定する（ステップＳ１１）。追加予約有りと判定した場合（ステップＳ１１：ＹＥＳ）、制御部１７は、ｉに１を加算し（ステップＳ１２）、処理をステップＳ２に戻す。
【００４６】
追加予約無しと判定した場合（ステップＳ１１：ＮＯ）、又はステップＳ５でキャンセルボタン２０ｉがオンであると判定した場合（ステップＳ５：ＹＥＳ）、制御部１７は、予約設定に関する処理を終了する。
【００４７】
図３及び図４は、フレーム画データの記録に関する制御部１７の処理手順を示すフローチャートである。時計部１７ａが記録開始時刻Ｔ０ｉを計時した場合、制御部１７は、停止フラグに０を設定する（ステップＳ２０）。停止フラグは、フレーム画データの記録を停止するか否かを示すビットデータである。次いで、制御部１７は、作成フラグに０を設定する（ステップＳ２１）。作成フラグは、代表画像を記録済であるか否かを示すビットデータである。
【００４８】
そして、制御部１７は、ＡＤ変換部１０ｂに、ＡＤ変換を開始させる制御信号を出力する（ステップＳ２２）。ＡＤ変換部１０ｂは、前記制御信号を受けた場合、信号入力部１０ａに入力されたビデオ信号及び音声信号をＡＤ変換し、ＡＤ変換したフレーム画データ及び音声データをメモリ１１に与える処理を開始する。
【００４９】
次いで、制御部１７は、メモリ１１が記憶したフレーム画データ及び音声データを圧縮伸張部１２に圧縮させる（ステップＳ２３）。そして、制御部１７は、圧縮したフレーム画データ及び音声データにエラー訂正符号を付加し、エラー訂正符号を付加したフレーム画データ及び音声データをデジタル変調して記録媒体Ｍに記録させる（ステップＳ２４）。
【００５０】
ステップＳ２４の処理を終えた場合、制御部１７は、時計部１７ａの計時結果を検出し、時刻ｔが記録停止時刻Ｔ１ｉ以後の時刻であるか否かを判定する（ステップＳ２５）。時刻ｔが記録停止時刻Ｔ１ｉ以後の時刻でないと判定した場合（ステップＳ２５：ＮＯ）、制御部１７は、停止ボタン２０ｃの操作状態を検出し、停止ボタン２０ｃがオンであるか否かを判定する（ステップＳ２６）。停止ボタン２０ｃがオンであると判定した場合（ステップＳ２６：ＹＥＳ）、又はステップＳ２５で時刻ｔが記録停止時刻Ｔ１ｉ以後の時刻であると判定した場合（ステップＳ２５：ＹＥＳ）、制御部１７は、停止フラグに１を設定する（ステップＳ２７）。
【００５１】
ステップＳ２７の処理を終えた場合、又はステップＳ２６で停止ボタン２０ｃがオンでないと判定した場合（ステップＳ２６：ＮＯ）、制御部１７は、時計部１７ａの計時結果を検出し、時計部１７ａが計時している時刻ｔと時刻（Ｔ０ｉ＋Ｔｉ）とが一致しているか否かを判定する（ステップＳ２８）。つまり、制御部１７は、記録開始時刻Ｔ０ｉから取得時間Ｔｉ後の時刻を計時したか否かを判定する。時刻ｔと時刻（Ｔ０ｉ＋Ｔｉ）とが一致していると判定した場合（ステップＳ２８：ＹＥＳ）、制御部１７は、ＡＤ変換部１０ｂから与えられ、メモリ１１が最後に記憶したフレーム画データに基づいて、複数のフレーム画を代表する代表画像のデータを代表画像作成部１６に作成させる（ステップＳ２９）。
【００５２】
そして、制御部１７は、チャプターマークを記録再生部１５によって記録媒体Ｍに記録させ（ステップＳ３０）、次いで、代表画像のデータを記録させる（ステップＳ３１）。ステップＳ３０で記録するチャプターマークは、時系列順で代表画像のフレーム画より前の複数のフレーム画を一のチャプター、代表画像のフレーム画以後の複数のフレーム画を他のチャプターとして、フレーム画データを記録媒体Ｍに記録管理するデータである。従って、代表画像のフレーム画は、代表画像が属する他のチャプターで冒頭のフレーム画となる。ステップＳ３０の処理で、記録媒体Ｍに記録した複数のフレーム画を各チャプターの冒頭のフレーム画から再生する場合、代表画像のフレーム画から再生を開始することができるようにすることができる。
【００５３】
ステップＳ３１の処理を終えた場合、制御部１７は、作成フラグに１を設定する（ステップＳ３２）。ステップＳ３２の処理を終えた場合、又はステップＳ２８で時刻ｔと時刻（Ｔ０ｉ＋Ｔｉ）とが一致していないと判定した場合（ステップＳ２８：ＮＯ）、制御部１７は、停止フラグが１であるか否かを判定する（ステップＳ３３）。停止フラグが１でないと判定した場合（ステップＳ３３：ＮＯ）、制御部１７は、処理をステップＳ２３に戻す。停止フラグが１であると判定した場合（ステップＳ３３：ＹＥＳ）、制御部１７は、作成フラグが１であるか否かを判定する（ステップＳ３４）。
【００５４】
作成フラグが１でないと判定した場合（ステップＳ３４：ＮＯ）、制御部１７は、処理をステップＳ２９に戻す。作成フラグが１であると判定した場合（ステップＳ３４：ＹＥＳ）、制御部１７は、ＡＤ変換を停止させる制御信号をＡＤ変換部１０ｂに出力する（ステップＳ３５）。そして、制御部１７は、記録開始時刻Ｔ０ｉ、記録停止時刻Ｔ１ｉ、及び取得時間Ｔｉを予約テーブルから削除し（ステップＳ３６）、処理を終了する。
【００５５】
実施の形態１に係る記録再生装置にあっては、ステップＳ４の処理で所望の取得時間Ｔｉを受け付けることによって、記録開始時刻Ｔ０ｉから取得時間Ｔｉが経過したときのフレーム画の代表画像データを作成することができる。
【００５６】
また、ステップＳ２乃至ステップＳ４の処理で記録開始時刻Ｔ０ｉ及び記録停止時刻Ｔ１ｉと共に取得時間Ｔｉを受け付ける。そして、ステップＳ９の処理で、記録開始時刻Ｔ０ｉ、記録停止時刻Ｔ１ｉ及び取得時間Ｔｉを対応させた予約テーブルに記憶することにより、異なる記録開始時刻Ｔ０ｉから記録する時系列のフレーム画データ、即ち異なる番組に対して、異なる取得時間Ｔｉで代表画像のデータを作成することができる。
【００５７】
更に、代表画像のデータを作成する時刻（Ｔ０ｉ＋Ｔｉ）よりも前に停止ボタン２０ｃが押された場合であっても、ステップＳ３４で、処理をステップＳ２９に戻して代表画像のデータを作成し、代表画像のデータを作成した後に、フレーム画データの記録を終了するため、フレーム画データの記録を停止する時刻に関わらず、記録した複数のフレーム画を代表する代表画像を必ず作成し記録することができる。
【００５８】
更にまた、ステップＳ３０の処理で、チャプターマークを記録することによって、代表画像のフレーム画以前の複数のフレーム画を一のチャプター、代表画像のフレーム画以後の複数のフレーム画を他のチャプターとして、フレーム画データを記録媒体Ｍに記録することができる。従って、記録媒体Ｍに記録したフレーム画データを各チャプターの冒頭から再生する場合、代表画像のフレーム画データから再生を開始することができる。
なお、実施の形態１にあっては、テンキー及び決定キーで取得時間を受け付けているが、これに限らず、例えば複数の取得時間、１分、２分、３分、４分、５分、１０分の中から一の取得時間を選択することで、取得時間を受け付けるようにしても良い。
また、記録開始時刻夫々に対する取得時間を受け付けるように構成してあるが、各記録開始時刻に共通の取得時間を一つ受け付けるようにしても良い。
【００５９】
（実施の形態２）
実施の形態２に係る記録再生装置は、実施の形態１に係る記録再生装置と同様の信号入力部１０ａ、ＡＤ変換部１０ｂ、メモリ１１、圧縮伸張部１２、信号処理回路１３、デジタル変調部１４、記録再生部１５、代表画像作成部１６、制御部１７、ＤＡ変換部１８ｂ、出力部１８ａ、バス１９、表示部２１等を有している。
【００６０】
図５は、取得時間の設定に関する制御部１７の処理手順を示すフローチャートである。設定ボタン２０ｄがオンになった場合、制御部１７は、ｎに０を設定する（ステップＳ１００）。ｎは、受け付けた各取得時間Ｔｎを示す自然数である。
【００６１】
次いで、制御部１７は、ｎに１を加算し（ステップＳ１０１）、テンキー２０ｆ及び決定ボタン２０ｈの操作状態を検出することで、取得時間Ｔｎを受け付ける（ステップＳ１０２）。
【００６２】
ステップＳ１０２の処理を終えた場合、制御部１７は、十字キー２０ｊ及び決定ボタン２０ｈの操作状態を検出することで、取得時間Ｔｎの追加の有無を受け付ける（ステップＳ１０３）。そして、制御部は、取得時間の追加が有りか否かを判定する（ステップＳ１０４）。追加有りと判定した場合（ステップＳ１０４：ＹＥＳ）、制御部１７は、処理をステップＳ１０１に戻す。取得時間Ｔｎの追加無しと判定した場合（ステップＳ１０４：ＮＯ）、制御部１７は、設定ボタン２０ｄの操作状態を検出することで、設定ボタン２０ｄがオンであるか否かを判定する（ステップＳ１０５）。設定ボタン２０ｄがオンであると判定した場合（ステップＳ１０５：ＹＥＳ）、制御部１７は、Ｔｎ及びｎをＲＡＭに書込み（ステップＳ１０７）、設定に関する処理を終了する。
【００６３】
設定ボタン２０ｄがオンでないと判定した場合（ステップＳ１０５：ＮＯ）、制御部１７は、キャンセルボタン２０ｉの操作状態を検出することで、キャンセルボタン２０ｉがオンであるか否かを判定する（ステップＳ１０６）。キャンセルボタン２０ｉがオンであると判定した場合（ステップＳ１０６：ＹＥＳ）、制御部１７は取得時間Ｔｎの設定に関する処理を終える。キャンセルボタン２０ｉがオンでないと判定した場合（ステップＳ１０６：ＮＯ）、制御部１７は、処理をステップＳ１０５に戻す。
【００６４】
図６は、フレーム画データの記録に関する制御部１７の処理手順を示すフローチャートである。記録ボタン２０ｂがオンになった場合、制御部１７は、時計部１７ａによる計時を開始する（ステップＳ１２０）。そして、制御部１７は、ＡＤ変換部１０ｂに、ＡＤ変換を開始させる制御信号を出力する（ステップＳ１２１）。
【００６５】
次いで、制御部１７は、ｊに１を設定する（ステップＳ１２２）。そして、制御部１７は、時計部１７ａの計時結果を検出し、時計部１７ａが計時している時刻ｔと取得時間Ｔｊとが一致しているか否かを判定する（ステップＳ１２３）。
【００６６】
時刻ｔと取得時間Ｔｊとが一致していると判定した場合（ステップＳ１２３：ＹＥＳ）、制御部１７は、メモリ１１が記憶したフレーム画データに基づいて、フレーム画を代表する代表画像のデータを作成させる（ステップＳ１２４）。そして、制御部は、代表画像のデータを記録再生部１５によって記録媒体Ｍに記録させる（ステップＳ１２５）。
【００６７】
ステップＳ１２３で、時刻ｔと取得時間Ｔｊとが一致しないと判定した場合（ステップＳ１２３：ＮＯ）、制御部１７は、ｊとｎとが一致しているか否かを判定する（ステップＳ１２６）。ｊとｎとが一致していないと判定した場合（ステップＳ１２６：ＮＯ）、制御部１７は、ｊに１を加算し（ステップＳ１２７）、処理をステップＳ１２３に戻す。
【００６８】
ステップＳ１２６でｊとｎとが一致していると判定した場合（ステップＳ１２６：ＹＥＳ）、又はステップＳ１２５の処理を終えた場合、制御部１７は、メモリ１１が記憶したフレーム画データ及び音声データを圧縮伸張部１２に圧縮させる（ステップＳ１２８）。そして、制御部１７は、圧縮したフレーム画データ及び音声データにエラー訂正符号を付加し、エラー訂正符号を付加したフレーム画データ及び音声データをデジタル変調して記録媒体Ｍに記録させる（ステップＳ１２９）。
【００６９】
次いで、制御部１７は、停止ボタン２０ｃの操作状態を検出することで、停止ボタン２０ｃがオンであるか否かを判定する（ステップＳ１３０）。停止ボタン２０ｃがオンであると判定した場合（ステップＳ１３０：ＹＥＳ）、制御部１７は、ＡＤ変換を停止させる制御信号をＡＤ変換部１０ｂに出力し（ステップＳ１３１）、記録に関する処理を終える。停止ボタン２０ｃがオンでないと判定した場合（ステップＳ１３０：ＮＯ）、制御部１７は、処理をステップＳ１２２に戻す。
【００７０】
実施の形態２に係る記録再生装置にあっては、複数の取得時間Ｔｎを受け付け、取得時間Ｔｎで取得したフレーム画に基づいて代表画像を複数作成するため、一つの取得時間で代表画像を一つ作成する場合に比べて、より確実に、記録を所望する複数のフレーム画の代表画像を作成することができる。
【００７１】
実施の形態２に係る記録再生装置の他の処理、構成、作用及び効果は、実施の形態１に係る記録再生装置の処理、構成、作用及び効果と同様であるため、同様の箇所には同様の符号を付してその詳細な説明を省略する。
【００７２】
（実施の形態３）
実施の形態３に係る記録再生装置は、実施の形態１に係る記録再生装置と同様の信号入力部１０ａ、ＡＤ変換部１０ｂ、メモリ１１、圧縮伸張部１２、信号処理回路１３、デジタル変調部１４、記録再生部１５、代表画像作成部１６、制御部１７、ＤＡ変換部１８ｂ、出力部１８ａ、バス１９、表示部２１等を有している。制御部１７は、代表画像とするフレーム画を特定するための特定時間Ｔの初期値として１０分を記憶している。
【００７３】
図７は、代表画像の作成に関する制御部１７の処理手順を示すフローチャートである。電源ボタン２０ａがオンになった場合、制御部１７は、設定ボタン２０ｄの操作状態を検出することで、設定ボタン２０ｄがオンであるか否かを判定する（ステップＳ２００）。
【００７４】
設定ボタン２０ｄがオンであると判定した場合（ステップＳ２００：ＹＥＳ）、制御部１７は、テンキー２０ｆ及び決定ボタン２０ｈの操作状態を検出することで、特定時間Ｔを受け付ける（ステップＳ２０１）。ステップＳ２０１の処理を終えた場合、又は設定ボタン２０ｄがオンでないと判定した場合（ステップＳ２００：ＮＯ）、制御部１７は、代表画像表示ボタン２０ｅの操作状態を検出し、代表画像表示ボタン２０ｅがオンであるか否かを判定する（ステップＳ２０２）。
【００７５】
代表画像表示ボタン２０ｅがオンであると判定した場合（ステップＳ２０２：ＹＥＳ）、制御部１７は、記録媒体Ｍからフレーム画の時系列情報を読み出す（ステップＳ２０３）。例えば、フレーム画のフレームレート、複数のフレーム画の時系列順を示すデータを読み出す。
【００７６】
次いで、制御部１７は、受け付けた特定時間Ｔにフレームレートを乗じたフレーム数を算出し、記録媒体Ｍに記録された先頭のフレーム画から、時系列順で前記フレーム数だけ後のフレーム画のフレーム画データを記録媒体Ｍから読み出す（ステップＳ２０４）。
【００７７】
そして、制御部１７は、読み出したフレーム画データから代表画像のデータを作成し（ステップＳ２０５）、代表画像の画像データをＤＡ変換し、ＤＡ変換したビデオ信号を出力部１８ａから出力して（ステップＳ２０６）、表示モニタＡに入力する。
【００７８】
次いで、制御部１７は、全てのタイトル、即ち複数のフレーム画からなる各番組の代表画像のデータを作成したか否かを判定する（ステップＳ２０７）。ステップＳ２０７の判定は、記録媒体Ｍに記録されたデータを管理するための管理情報を記録媒体Ｍから読み出し、読み出した管理情報に基づいて行う。代表画像のデータを作成していないタイトルがあると判定した場合（ステップＳ２０７：ＮＯ）、制御部１７は、処理をステップＳ２０３に戻す。
【００７９】
全てのタイトルの代表画像のデータを作成したと判定した場合（ステップＳ２０７：ＹＥＳ）、制御部１７は、十字キー２０ｊ及び再生ボタンの操作状態を検出することで、選択された代表画像を受け付け（ステップＳ２０８）、受け付けた代表画像のフレーム画を含むタイトルのフレーム画を読み出して再生する（ステップＳ２０９）。つまり、フレーム画データ及び音声データを復調及び伸張し、伸張したフレーム画データ及び音声データをアナログのビデオ信号及び音声信号に変換して出力部１８ａに出力する。
【００８０】
次いで、制御部１７は、停止ボタン２０ｃの操作状態を検出し、停止ボタン２０ｃがオンであるか否かを判定する（ステップＳ２１０）。停止ボタン２０ｃがオンでないと判定した場合（ステップＳ２１０：ＮＯ）、制御部１７は処理をステップＳ２０９に戻す。
【００８１】
停止ボタン２０ｃがオンであると判定した場合（ステップＳ２１０：ＹＥＳ）、制御部１７は、電源ボタン２０ａの操作状態を検出し、電源ボタン２０ａがオンであるか否かを判定する（ステップＳ２１１）。電源ボタン２０ａがオンであると判定した場合（ステップＳ２１１：ＹＥＳ）、処理をステップＳ２００に戻す。電源ボタン２０ａがオフであると判定した場合（ステップＳ２１１：ＮＯ）、制御部１７は処理を終える。
【００８２】
実施の形態３にあっては、代表画像とするフレーム画を特定する特定時間を受け付けることで、再生を所望するフレーム画データに基づいて代表画像のデータを作成することができる。
なお、実施の形態１と同様に、複数の特定時間を受け付けるように構成しても良い。複数の特定時間に対応するフレーム画に基づいて代表画像を複数作成した場合、より確実に、再生を所望する番組のフレーム画の代表画像を作成することができる。
【００８３】
実施の形態３に係る記録再生装置の他の処理、構成、作用及び効果は、実施の形態１に係る記録再生装置に処理、構成、作用及び効果と同様であるため、同様の箇所には同様の符号を付してその詳細な説明を省略する。
【図面の簡単な説明】
【００８４】
【図１】本発明の実施の形態１に係る記録再生装置のブロック図である。
【図２】各種設定に関する制御部の処理手順を示すフローチャートである。
【図３】フレーム画データの記録に関する制御部の処理手順を示すフローチャートである。
【図４】フレーム画データの記録に関する制御部の処理手順を示すフローチャートである。
【図５】取得時間の設定に関する制御部の処理手順を示すフローチャートである。
【図６】フレーム画データの記録に関する制御部の処理手順を示すフローチャートである。
【図７】代表画像の作成に関する制御部の処理手順を示すフローチャートである。
【符号の説明】
【００８５】
１０ａ  信号入力部
１０ｂ  ＡＤ変換部
１１  メモリ
１２  圧縮伸張部
１３  信号処理回路
１４  デジタル変調部
１５  記録再生部
１６  代表画像作成部
１７  制御部
１７ａ  時計部
１８ａ  出力部
１８ｂ  ＤＡ変換部
１９  バス
２０ａ  電源ボタン
２０ｂ  記録ボタン
２０ｃ  停止ボタン
２０ｄ  設定ボタン
２０ｅ  代表画像表示ボタン
２０ｆ  テンキー
２０ｇ  予約ボタン
２０ｈ  決定ボタン
２０ｉ  キャンセルボタン
２０ｊ  十字キー
２１  表示部
Ａ  表示モニタ
Ｍ  記録媒体
【図１】
2006303818.tif 000003
【図２】
2006303818.tif 000004
【図３】
2006303818.tif 000005
【図４】
2006303818.tif 000006
【図５】
2006303818.tif 000007
【図６】
2006303818.tif 000008
【図７】
2006303818.tif 000009